(57)【要約】【課題】障子の取付けを一人の作業者によって行なうことができる部品点数の少ないすべり出し窓を提供することである。【解決手段】障子１０の上框１１に取付けられた上部ステー２０Ａの枠側プレート２１に切り起こしによって複数の係合片２７を設け、窓枠１の上枠３には上記係合片２７が挿入される位置決め孔５を形成する。位置決め孔５に対する係合片２７の係合によって上部ステー２０Ａの枠側プレート２１を位置決めし、その位置決め状態で障子１０の下框１２に取付けられた下部ステー２０Ｂの枠側プレート２１を下枠４の平坦部６上に載置し、その枠側プレート２１を窓枠１の下側コーナ部の内面に対する当接および戸当り壁７に対する当接によって枠側プレート２１を位置決めし、上部ステー２０Ａおよび下部ステー２０Ｂの枠側プレート２１の位置決めにより障子１０を仮止めし、障子１０から手を離す状態で枠側プレート２１のねじ止めを行なう。【選択図】　図１
2004068298.tif 000002
【特許請求の範囲】
【請求項１】
障子の上框および下框に一対のステーの障子側プレートをねじ止めし、各ステーの枠側プレートを窓枠の上枠および下枠にねじ止めして障子を屋外側に向けて開閉自在としたすべり出し窓において、前記障子の上框に取付けられた上部ステーの枠側プレートに複数の係合片を切り起こしにより形成し、窓枠の上枠には前記係合片のそれぞれが挿入される位置決め孔を形成し、前記窓枠の下枠には障子の下框に取付けられた下部ステーの枠側プレートを室外側から載置可能な平坦部を設けたことを特徴とするすべり出し窓。
【請求項２】
前記下部ステーの枠側プレートと窓枠の下枠の相互間に、下枠に設けられたねじ孔と枠側プレートに形成されたねじ挿入孔とがほぼ一致する状態で枠側プレートを位置決めする位置決め手段を設けた請求項１に記載のすべり出し窓。
【請求項３】
前記位置決め手段が、窓枠の下側コーナ部の内面および平坦部の室内側より立ち上がる戸当り壁の室外側面を位置決め面とし、下部ステーの枠側プレートには前記各位置決め面に当接される位置決めピースを取付け、その位置決めピースを位置決め面に当接させて枠側プレートを位置決めする請求項２に記載のすべり出し窓。
【発明の詳細な説明】
【０００１】
【発明の属する技術分野】
この発明は、障子の上下部を一対のステーにより支持して障子を屋外側に向けて開閉自在としたすべり出し窓に関するものである。
【０００２】
【従来の技術】
窓枠の内側に組込まれた障子の一方のたて框を窓枠のたて枠から離反させつつ室外側にほぼ９０°回動させて障子を開放状態とするすべり出し窓においては、障子の上下部をステーで支持して障子を開閉自在としている。
【０００３】
すべり出し窓に用いられる上記ステーは、窓枠に取付けられる枠側プレートと障子に取付けられる障子側プレートを有し、その両プレートをアームおよびスライダにより連結して、障子側プレートをその長さ方向が枠側プレートの長さ方向とほぼ平行する状態とほぼ直交する状態との間で開閉自在としている。
【０００４】
上記ステーは、工場において、障子の上框および下框に障子側プレートが取付けられた状態で出荷され、施工現場において枠側プレートが建物躯体の窓枠に対してねじ止めされる。
【０００５】
枠側プレートを窓枠にねじ止めする障子の取付け作業は、障子自体が重量物であるため、障子を支える作業者と、枠側プレートを窓枠にねじ止めする作業者の二人の作業者を必要とし、作業性が悪いという不都合があった。
【０００６】
そのような不都合を解消するため、特許第３００７２９２号公報においては、一人の作業者によって障子を取付けできるようにしたすべり出し窓が提案されている。
【０００７】
上記公報に記載されたすべり出し窓においては、窓枠の上枠に室内側に対面する当接部を有する一対の係止ピースを、その当接部の間隔が枠側プレートの長さにほぼ等しくなるように取付け、一方、窓枠の下枠には室外側に対面する当接部を有する係止ピースを、上記当接部の間隔が枠側プレートの長さにほぼ等しくなるよう取付け、上枠に取付けられた係止ピースの当接部に上部ステーにおける枠側プレートの両端部を当接させ、下枠に取付けられた係止ピースの当接部に下部ステーにおける枠側プレートの両端部を当接させて障子を仮止めし、その仮止め状態で上部ステーおよび下部ステーの枠側プレートを窓枠の上枠および下枠にねじ止めするようにしている。このため、一人の作業者によって障子の取付けを行なうことができるという特長を有している。
【０００８】
【発明が解決しようとする課題】
ところで、上記公報に記載されたすべり出し窓においては、窓枠の上枠および下枠に一対の係止ピースを取付ける必要があるため、部品点数が多くなり、また、一対の係止ピースをステーの枠側プレートの長さに対応する間隔をもってビス止めする必要があるため、取付けに手間がかかり、改善すべき点が残されている。
【０００９】
この発明の課題は、従来と同様に、障子の取付けを一人の作業者によって行なうことができる部品点数の少ない簡単な構成のすべり出し窓を提供することである。
【００１０】
【課題を解決するための手段】
上記の課題を解決するために、この発明においては、障子の上框および下框に一対のステーの障子側プレートをねじ止めし、各ステーの枠側プレートを窓枠の上枠および下枠にねじ止めして障子を屋外側に向けて開閉自在としたすべり出し窓において、前記障子の上框に取付けられた上部ステーの枠側プレートに複数の係合片を切り起こしにより形成し、窓枠の上枠には前記係合片のそれぞれが挿入される位置決め孔を形成し、前記窓枠の下枠には障子の下框に取付けられた下部ステーの枠側プレートを室外側から載置可能な平坦部を設けた構成を採用している。
【００１１】
上記のように、上部ステーに切り起こしによる係合片を設け、窓枠の上枠に位置決め孔を形成することにより、前記位置決め孔に係合片を係合させたのち、下部ステーの枠側プレートを下枠の平坦部上に載置することによって障子を仮止め状態に保持することができる。このため、障子から手を離す状態で上部ステーおよび下部ステーの枠側プレートをねじ止めすることができ、障子の取付けを一人の作業者によって行なうことができる。
【００１２】
また、上部ステーの枠側プレートを、その枠側プレートに設けられた係合片と上枠に形成された位置決め孔の係合によって位置決めするようにしたので、従来の係止ピースを不要とすることができる。このため、部品点数が少なくなり、障子の取付け作業性の向上を図ることができる。
【００１３】
ここで、前記下部ステーの枠側プレートと窓枠の下枠の相互間に、下枠に設けられたねじ孔と枠側プレートに形成されたねじ挿入孔とがほぼ一致する状態で枠側プレートを位置決めする位置決め手段を設けることによって、下部ステーの枠側プレートの位置決めを行なうことができるため、枠側プレートを簡単にねじ止めすることができる。
【００１４】
前記位置決め手段として、窓枠の下側コーナ部の内面および平坦部の室内側より立ち上がる戸当り壁の室外側面を位置決め面とし、下部ステーの枠側プレートには前記各位置決め面に当接される位置決めピースを取付け、その位置決めピースを位置決め面に当接させて枠側プレートを位置決めする構成のものを採用することによって、従来の係止ピースを不要とすることができる。
【００１５】
【発明の実施の形態】
以下、この発明の実施の形態を図面に基づいて説明する。図１に示すように、窓枠１は一対のたて枠２と、上枠３および下枠４から成る。窓枠１の開口部は障子１０によって開閉される。
【００１６】
障子１０の上框１１および下框１２には、障子１０を室外側に向けて開閉自在に支持するステー２０Ａ、２０Ｂが取付けられている。これらのステー２０Ａ、２０Ｂは工場において、障子１０に取付けられている。
【００１７】
上框１１に取付けられた上部ステー２０Ａは、図２および図５に示すように、窓枠１の上枠３に取付けられる枠側プレート２１と上記上框１１に取付けられる障子側プレート２２とをアーム２３およびスライダー２４で連結している。
【００１８】
ここで、アーム２３は、その一端部が枠側プレート２１の一端部に回動自在に連結され、他端部が障子側プレート２２の長さ方向ほぼ中央部に回動自在に連結されている。
【００１９】
一方、スライダ２４は、その一端部に設けられた平面菱形の突起部２４ａが枠側プレート２１の一側縁に沿って設けられたガイドレール２５内にスライド自在に挿入され、他端部が障子側プレート２２の一端部に回動自在に連結されている。
【００２０】
上部ステー２０Ａの枠側プレート２１および障子側プレート２２はねじの締付けによって窓枠１の上枠３および障子１０の上框１１に固定される。このため、各プレート２１、２２には取付け用ねじを挿入する複数のねじ挿入孔２６が各プレート２１、２２の長さ方向に間隔をおいて設けられている。
【００２１】
図３および図６は、障子１０の下框１２に取付けられる下部ステー２０Ｂを示す。この下部ステー２０Ｂは図２および図５に示す上部ステー２０Ａとほぼ同一の構成であるため、同一部分には同一の符号を付して説明を省略する。
【００２２】
図２および図５に示すように、上部ステー２０Ａにおける枠側プレート２１にはその長さ方向に間隔をおいて複数の係合片２７が切り起こしによって形成されている。係合片２７は、図４に示すように、窓枠１の上枠３に形成された位置決め孔５に対して挿入可能とされている。
【００２３】
ここで、位置決め孔５は角形とされ、その左右方向の幅寸法は係合片２７の幅寸法より多小大きく、室内外方向の幅寸法は係合片２７の厚みより大きくなっている。上記係合片２７を位置決め孔５に挿入し、その位置決め孔５の室外側の内周縁に係合片２７を当接させることによって、枠側プレート２１に設けられた前記ねじ挿入孔２６が上枠３に形成された図示省略のねじ孔と一致するようになっている。
【００２４】
図１および図４に示すように、窓枠１の下枠４には障子１０に取付けられた下部ステー２０Ｂの枠側プレート２２を支持する平坦部６が設けられている。平坦部６は下部ステー２０Ｂを室外側から載置可能とされ、その平坦部６の室内側には障子１０の下端部を受ける戸当り壁７が設けられている。
【００２５】
図３および図６に示すように、下部ステー２０Ｂにおける枠側プレート２１のガイドレール２５の両端部には一対の位置決めピース２８、２９が取付けられ、ガイドレール２５の一端部に取付けられた位置決めピース２８は窓枠１の下側コーナ部の内面に対する当接によって位置決めされる。一方、ガイドレール２５の他端部に取付けられた位置決めピース２９は戸当り壁７の室外側面に対する当接によって位置決めされ、各位置決めピース２８、２９の位置決めによって枠側プレート２１に形成されたねじ挿入孔２６は、下枠４に形成された図示省略のねじ孔とほぼ一致する状態とされる。
【００２６】
なお、位置決めピース２８、２９に代えて、下枠４における戸当り壁７の室外側面に枠側プレート２１の室内側の側縁を位置決めする位置決め用の突条を設けるようにしてもよい。
【００２７】
実施の形態で示すすべり出し窓は上記の構成から成り、障子１０の取付けに際しては、図１に示すように、上部ステー２０Ａおよび下部ステー２０Ｂの枠側プレート２１、２１を障子側プレート２２、２２に対して交差させた状態において、障子１０の全体を持ち、その障子１０を上部が室内側に位置するよう傾けた状態で、上部ステー２０Ａの枠側プレート２１を窓枠１内に挿入し、上部ステー２０Ａの枠側プレート２１に形成された係合片２７を上枠３に形成された位置決め孔５内に挿入する。
【００２８】
上記位置決め孔５に対する係合片２７の挿入後、障子１０の上部を室外側に引く操作によって位置決め孔５の室外側内周縁に係合片２７を係合させ、その係合状態を保つ状態で、位置決め孔５と係合片２７の係合部を支点にして障子１０を、その下部が室内側に向けて移動する方向に回動させる。
【００２９】
上記障子１０の回動によって、その障子１０の下框１２に取付けられた下部ステー２０Ｂの枠側プレート２１が下枠４の平坦部６で支持される。その支持状態において、下部ステー２０Ｂの枠側プレート２１に取付けられた一方の位置決めピース２８を窓枠１の下側コーナ部内面に当接し、かつ他方の位置決めピース２９を戸当り壁７に当接させることにより、枠側プレート２１はねじ挿入孔２６が下枠４に形成されたねじ孔と一致する状態に位置決めされる。
【００３０】
一方、上部ステー２０Ａの枠側プレート２１は、位置決め孔５の室外側内周縁と係合片２７の係合によって、ねじ挿入孔２６が上枠３に形成されたねじ孔と一致する状態に位置決めされる。
【００３１】
上部ステー２０Ａの枠側プレート２１および下部ステー２０Ｂの枠側プレート２１の位置決め状態において、障子１０には開放側端部が下向きに移動する方向の回転モーメントが作用し、その回転モーメントは位置決め孔５と係合片２７の係合部および位置決めピース２８、２９と戸当り壁７の当接部によって受けられ、障子１０は仮止め状態に保持される。
【００３２】
このため、障子１０から手を離しても障子１０は仮止め状態に保持され、上部ステー２０Ａの枠側プレート２１および下部ステー２０Ｂの枠側プレート２１のねじ止め作業を一人の作業者によって行なうことができる。
【００３３】
【発明の効果】
以上のように、この発明においては、上部ステーの枠側プレートに形成された係合片を上枠に設けられた位置決め孔に係合し、下部ステーの枠側プレートを下枠の平坦部上に載置することにより障子を仮止めすることができるため、障子から手を離す状態で上部ステーおよび下部ステーの枠側プレートのねじ止め作業を行なうことができ、一人の作業者によって障子の取付けを行なうことができる。
【００３４】
また、上部ステーの枠側プレートに設けられた係合片と上枠に形成された位置決め孔の係合によって枠側プレートを位置決めするようにしたので、従来の技術の項で述べた枠側プレート位置決め用の係止ピースの取付けを不要とすることができる。このため、部品点数が少なくなり、係止ピースをねじ止めする作業を不要とすることができるため障子の取付け作業性を向上させることができる。
【図面の簡単な説明】
【図１】この発明に係るすべり出し窓の窓枠と障子を示す分解斜視図
【図２】障子の上框に取付けられる上部ステーの斜視図
【図３】障子の下框に取付けられる下部ステーの斜視図
【図４】障子の取付け状態における縦断側面図
【図５】図４のＶ−Ｖ線に沿った断面図
【図６】図４のＶＩ−ＶＩ線に沿った断面図
【符号の説明】
１　窓枠
３　上枠
４　下枠
５　位置決め孔
６　平坦部
７　戸当り壁
１０　障子
１１　上框
１２　下框
２０Ａ　上部ステー
２０Ｂ　下部ステー
２１　枠側プレート
２２　障子側プレート
２６　ねじ挿入孔
２７　係合片
２８、２９　位置決めピース
【図１】
2004068298.tif 000003
【図２】
2004068298.tif 000004
【図３】
2004068298.tif 000005
【図４】
2004068298.tif 000006
【図５】
2004068298.tif 000007
【図６】
2004068298.tif 000008